【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
生体の内部を観察する医療用観察機器が複数の波長帯域で前記生体を撮像することで生成された複数の生体画像と、前記生体の内部を観察する際の状況に関する状況情報と、に基づいて、前記複数の生体画像の少なくとも１つ、又は、当該複数の生体画像から生成される画像の少なくとも何れかを、前記状況に応じた推奨画像として決定する推奨部を備える、情報処理装置。
【請求項２】
前記複数の生体画像は、可視光帯域での前記生体の撮像画像を少なくとも含み、
前記生体画像が表示される表示画面の表示制御を行う表示制御部を更に備え、
前記表示制御部は、前記可視光帯域での生体の撮像画像を前記表示画面に表示させておき、使用者が前記推奨画像の表示を選択した場合に、前記表示画面の表示内容を前記推奨画像に切り替える、請求項１に記載の情報処理装置。
【請求項３】
前記推奨部は、生体の内部が観察される際の状況と、それぞれの前記状況の際に提示可能な前記推奨画像の種別と、が予め互いに関連付けられた推奨画像データベースを参照し、前記状況に応じた推奨画像を決定する、請求項１または請求項２に記載の情報処理装置。
【請求項４】
前記複数の生体画像のうち少なくとも一部の画像、又は、前記複数の生体画像の少なくとも何れかを解析することで生成される二次情報を可視化した画像、の少なくとも何れかを用いて前記推奨画像を生成する、推奨画像生成部を更に備える、請求項１乃至請求項３の何れか１項に記載の情報処理装置。
【請求項５】
前記複数の生体画像は、可視光帯域での前記生体の撮像画像と、近赤外帯域での前記生体の撮像画像と、を少なくとも含み、
前記推奨画像生成部は、
前記近赤外帯域での生体の撮像画像のうち近赤外帯域の光を検出した領域の色調を所定の色調へと変更し、かつ、当該近赤外帯域の光を検出しなかった領域の輝度値をゼロへと変更した上で、変更後の前記近赤外帯域での生体の撮像画像を、前記可視光帯域での生体の撮像画像へと重畳させた重畳画像を、前記推奨画像として生成する、請求項４に記載の情報処理装置。
【請求項６】
前記複数の生体画像は、可視光帯域での前記生体の撮像画像を少なくとも含み、
前記推奨部は、前記可視光帯域での生体の撮像画像が表示されている表示画面に前記推奨画像に関する情報を表示させて、使用者に前記推奨画像を表示させるか否かを選択させる、請求項１乃至請求項５の何れか１項に記載の情報処理装置。
【請求項７】
前記推奨画像に関する情報は、前記推奨画像の種別を示すテキスト情報、又は、前記推奨画像のサムネイル画像の少なくとも何れかである、請求項６に記載の情報処理装置。
【請求項８】
前記推奨部は、可視光帯域での前記生体の撮像画像が表示されている表示画面とは別の表示画面に対し、前記推奨画像を表示させる、請求項１乃至請求項７の何れか１項に記載の情報処理装置。
【請求項９】
前記生体の内部が観察されている際の状況を特定する状況特定部を更に備え、
前記状況特定部は、前記医療用観察機器の設定に関する設定情報、前記医療用観察機器の特性に関する特性情報、前記医療用観察機器及び当該医療用観察機器と連携した周辺機器の稼働状態に関する稼働情報、前記生体画像、又は、前記生体画像に基づき生成される二次情報の少なくとも何れかに基づき、前記生体の内部が観察されている際の状況を特定する、請求項１乃至請求項８の何れか１項に記載の情報処理装置。
【請求項１０】
前記状況特定部は、前記医療用観察機器の設定に関する設定情報、前記医療用観察機器の特性に関する特性情報、前記医療用観察機器及び当該医療用観察機器と連携した周辺機器の稼働状態に関する稼働情報、前記生体画像、又は、前記生体画像に基づき生成される二次情報の少なくとも何れかと、前記生体画像が生成される際の状況と、が予め互いに関連付けられた状況特定データベースを参照し、前記生体の内部が観察されている際の状況を特定する、請求項９に記載の情報処理装置。
【請求項１１】
前記状況特定データベースには、更に、前記生体の内部に存在する器官及び生体物質の分光反射率又は吸光係数に関する情報が記録されており、
前記状況特定部は、前記生体画像に基づき生成される二次情報として分光反射率に関する情報を生成するか、又は、前記生体画像を参照して特定の波長帯域での吸光係数を特定し、前記生体の内部に存在する器官及び生体物質の分光反射率又は吸光係数に関する情報と比較することで、前記生体の内部が観察されている際の状況を特定する、請求項１０に記載の情報処理装置。
【請求項１２】
前記状況特定データベースには、更に、前記生体の内部に存在する器官、及び、医療行為に用いられる医療器具に関する画像情報が記録されており、
前記状況特定部は、前記生体画像に基づき生成される二次情報として、前記画像情報を利用して前記生体画像に対して画像認識処理を実施した認識結果に関する情報を生成し、当該認識結果に関する情報を利用して前記生体の内部が観察されている際の状況を特定する、請求項１０または請求項１１に記載の情報処理装置。
【請求項１３】
前記生体画像として、可視光帯域での前記生体の撮像画像と、近赤外帯域での前記生体の撮像画像と、が少なくとも含まれており、
前記推奨部は、前記状況情報として血液が検出された旨の情報を取得した場合に、前記近赤外帯域での生体の撮像画像を前記推奨画像として決定する、請求項１乃至請求項１２の何れか１項に記載の情報処理装置。
【請求項１４】
前記生体画像として、可視光帯域での前記生体の撮像画像と、近赤外帯域での前記生体の撮像画像と、が少なくとも含まれており、
前記推奨部は、前記状況情報として、スモークもしくはミストが検出された旨の情報、又は、医療用エナジーデバイスの使用に関する情報の少なくとも何れかを取得した場合に、前記近赤外帯域での生体の撮像画像を前記推奨画像として決定する、請求項１乃至請求項１３の何れか１項に記載の情報処理装置。
【請求項１５】
前記推奨部は、前記状況情報として、スモークもしくはミストが検出されなくなった旨の情報、又は、医療用エナジーデバイスの使用が終了した旨の情報の少なくとも何れかを取得した場合に、表示画面に表示される画像を、前記推奨画像から、前記可視光帯域での生体の撮像画像へと切り替えさせる、請求項１４に記載の情報処理装置。
【請求項１６】
前記推奨部は、前記状況情報として、血流遮断医療器具又は血管吻合医療器具が検出された旨の情報を取得した場合に、前記生体画像に基づく二次情報として生成された酸素飽和度の分布を可視化した画像、又は、血液の分布に対応する近赤外帯域での前記生体の撮像画像を、前記推奨画像として決定する、請求項１乃至請求項１５の何れか１項に記載の情報処理装置。
【請求項１７】
前記推奨部は、前記状況情報として、血管の存在が検出された旨の情報を取得した場合に、血管の視認に適した波長帯域での前記生体の撮像画像を前記推奨画像として決定する、請求項１乃至請求項１６の何れか１項に記載の情報処理装置。
【請求項１８】
前記医療用観察機器は、複数の波長帯域での光の強度を波長帯域ごとに区別して一度に検出する画素を少なくとも含むマルチスペクトルセンサを有しており、当該マルチスペクトルセンサの出力結果から、複数の波長帯域での前記生体画像が生成される、請求項１乃至請求項１７の何れか１項に記載の情報処理装置。
【請求項１９】
前記医療用観察機器は、特定の波長帯域に対応した撮像素子を複数有しており、それぞれの前記撮像素子の出力結果から、複数の波長帯域での前記生体画像が生成される、請求項１乃至請求項１７の何れか１項に記載の情報処理装置。
【請求項２０】
前記医療用観察機器は、当該医療用観察機器が有する撮像素子に結像する光の波長帯域を切り替えながら撮像を行うことで、複数の波長帯域での前記生体画像を生成する、請求項１乃至請求項１７の何れか１項に記載の情報処理装置。
【請求項２１】
前記医療用観察機器は、医療用内視鏡又は医療用顕微鏡である、請求項１乃至請求項２０の何れか１項に記載の情報処理装置。
【請求項２２】
生体の内部を観察する医療用観察機器が複数の波長帯域で前記生体を撮像することで生成された複数の生体画像と、前記生体の内部を観察する際の状況に関する状況情報と、に基づいて、前記複数の生体画像の少なくとも１つ、又は、当該複数の生体画像から生成される画像の少なくとも何れかを、前記状況に応じた推奨画像として決定することを含む、情報処理方法。
【請求項２３】
生体の内部を観察し、複数の波長帯域で前記生体を撮像することで生成される複数の生体画像を生成する医療用観察機器と相互に通信可能なコンピュータに、
前記複数の生体画像と、前記生体の内部を観察する際の状況に関する状況情報と、に基づいて、前記複数の生体画像の少なくとも１つ、又は、当該複数の生体画像から生成される画像の少なくとも何れかを、前記状況に応じた推奨画像として決定する推奨機能を実現させるためのプログラム。
【請求項２４】
生体の内部を観察し、複数の波長帯域で前記生体を撮像することで複数の生体画像を生成する医療用観察機器と、
前記医療用観察機器により生成された前記複数の生体画像と、前記生体画像の内部を観察する際の状況に関する状況情報と、に基づいて、前記複数の生体画像の少なくとも１つ、又は、当該複数の生体画像から生成される画像の少なくとも何れかを、前記状況に応じた推奨画像として決定する推奨部を有する情報処理装置と、
を備える、医療用観察システム。